【事件の表示】
　特願２００８−５０７１９５「ネットワーク」拒絶査定不服審判事件〔平成１８年１２月２８日国際公開、ＷＯ２００６／１３６８９５、平成２０年１１月　６日国内公表、特表２００８−５３８８７６〕について、次のとおり審決する。
【結　論】
　本件審判の請求は、成り立たない。
【理　由】
１．手続の経緯と本願発明 
　本願は、２００６年　４月２７日（パリ条約による優先権主張外国庁受理２００５年　４月２９日、（ＧＢ）英国）を国際出願日とする出願であって、平成２３年　７月２６日付けで拒絶査定がなされ、これに対し、平成２３年１０月　４日付けで審判請求がなされるとともに同日付けで手続補正がなされたものである。
　平成２３年１０月　４日付けの手続補正書による補正は、本願特許請求の範囲の請求項１〜２４のうち、同請求項２〜２４を削除するものであるから、本願特許請求の範囲の請求項１に係る発明（以下、「本願発明」という。）は、明細書、特許請求の範囲及び図面の記載からみて、平成２３年１０月　４日付け手続補正書の特許請求の範囲の請求項１に記載された以下のとおりのものと認める。 
　
「　【請求項１】
　アドレスを有する第一のネットワーク要素と、
　前記第一のネットワーク要素の前記アドレスを必要としている第二のネットワーク要素と、
　前記第一のネットワーク要素の前記アドレスをメッセージに挿入するように構成された第三のネットワーク要素と、
　第四のネットワーク要素と、を含み、
　前記第三のネットワーク要素は、前記第四のネットワーク要素に前記メッセージを送信するように構成され、前記第四のネットワーク要素は、前記アドレスを取り出して、前記アドレスを前記第二のネットワーク要素に送信するように構成される、ネットワークであって、更に、
　前記第一のネットワーク要素が、リソースおよびアドミッション制御機能、サービスポリシー判断機能、エッジルーター、およびボーダーゲートウェイ機能のうちの少なくとも１つを含むこと；
　前記第二のネットワーク要素が、リソースおよびアドミッション制御機能、サービスポリシー判断機能、エッジルーター、およびボーダーゲートウェイ機能のうちの少なくとも１つを含むこと；
　前記第三のネットワーク要素が、アプリケーション機能、アクセスノード、ホームゲートウェイ、およびリソースおよびアドミッション制御機能によって制御されるアクセスネットワーク要素のうちの少なくとも１つを含むこと；
の１つ以上を特徴とする、ネットワーク。」 
　 
２．引用発明 
　これに対して、原査定の拒絶理由に引用された米国特許出願公開２００５／００２６５９１号明細書（公開日２００５年　２月　３日）（以下、「引用例」という。）には、「METHOD FOR ASCERTAINING A BILLING TARIFF FOR BILLING FOR A DATA TRANSFER」(データ伝送に対する料金請求のための料金表を確認するための方法）（（　）は当審仮訳、以下も同様。）として、図面とともに以下の事項が記載されている。
 　
イ．「[0020] FIG. 1 shows a mobile telecommunication terminal KEG in the form of a mobile telephone with the mobile radio telephone number “123”, which terminal is currently situated in the radio area of a visitor mobile radio network VN and is connected thereto. The visitor mobile radio network VN is subject to the control of a visitor network operator(“visited operator”). The communication terminal KEG is intended to be used to make use of a service on a service computer DR2, the service computer DR2 being arranged on the Internet IN. The service computer DR2 is subject to the control of a service provider. The communication terminal KEG accesses the service computer DR2 on the Internet IN using the visitor mobile radio network VN, using a further telecommunication network KN and using a data mobile radio network HN. The data mobile radio network HN is, in general terms, a mobile radio network for which the communication terminal KEG has access rights and which is therefore used to effect the service use or the access to the data on the service computer DR2. 
[0021] This service use involves data packets IP2 being interchanged between the communication terminal KEG and the service computer DR2. The transfer of such IP data packets designed on the basis of the Internet Protocol(IP) implements bidirectional data transfer between the communication terminal KEG and the data mobile radio network HN or the service computer DR2. 
[0022] The communication terminal KEG may also simultaneously use a further service on a further service computer DR1 and/or a third service on a third service computer DR3. To this end, data packets IP1 can be interchanged bidirectionally between the communication terminal KEG and the further service computer DR1. Similarly, data packets IP3 can be interchanged bidirectionally between the communication terminal KEG and the third service computer DR3. 
[0023] Services which the mobile communication terminal accesses by transferring data in data packets are also referred to as “IP services”. Such services are provided for the user of the communication terminal KEG by his home mobile radio network HN(mobile network operator core network). In the exemplary embodiment, this is done by virtue of the home network HN conveying access to the service computer DR2 on the Internet. In the exemplary embodiment, the data mobile radio network HN as the home mobile radio network is subject to the control of a home network operator(“home operator”). In another exemplary embodiment, the service computer DR2 may of course also be arranged within the home network HN.」（２頁右欄）
（[0020]　図1は、現在ビジター移動無線ネットワークVNの無線エリアに位置しており、それに接続された端末の携帯無線電話番号「123」を有する携帯電話の形態の移動体通信端末KEGを示している。ビジター移動無線ネットワークVNは、ビジターのネットワークオペレータ（「訪問先のオペレータ」）の制御の対象となる。通信端末KEGはサービスコンピュータDR2上のサービスを利用するために使用されることを意図し、サービスコンピュータDR2はインターネット上に配置されている。サービスコンピュータDR2は、サービスプロバイダーの制御の対象となる。通信端末KEGはビジター移動無線ネットワークVNを使用し、さらに通信ネットワークKNを使用し、データ移動無線ネットワークHNを使用して、インターネットIN上のサービスコンピュータDR2にアクセスする。データ移動無線ネットワークHNは、一般的に、通信端末KEGがアクセス権を持っているため、サービスの利用またはサービスコンピュータDR2上のデータへのアクセスを遂行するために使用される移動無線ネットワークである。
[0021]　このサービスの利用は、通信端末KEGとサービスコンピュータDR2間で交換されるデータパケットIP2が含まれる。インターネットプロトコル（IP）に基づいて設計されたこのようなIPデータパケットの転送は、通信端末KEGとデータ移動無線ネットワークHNまたはサービスコンピュータのDR2との間の双方向のデータ転送を実行する。
[0022]　通信端末KEGは、また同時に、もう一台のサービスコンピュータDR1上の更なるサービス、および/または、第３のサービスコンピュータのDR3上の第３のサービスを利用することができる。このために、データパケットIP1は、通信端末KEGともう一台のサービスコンピュータのDR1の間で双方向に交換することができる。同様に、データパケットIP3は、通信端末KEGと第３のサービスコンピュータDR3の間で双方向に交換することができる。
[0023]　移動通信端末がデータパケットでデータを転送することによってアクセスするサービスは、「IPサービス」とも呼ばれている。このようなサービスは、ホーム移動無線ネットワークHN（モバイルネットワーク事業者のコアネットワーク）によって、通信端末KEGのユーザに提供される。例示的な実施形態では、これはインターネット上のサービスコンピュータDR2へのアクセスを伝えるホームネットワークHNによって行われる。例示的な実施形態では、ホーム移動無線ネットワークなどのデータ移動無線ネットワークHNは、ホームネットワークのオペレータ（「ホームオペレータ」）の制御の対象となる。別の例示的な実施形態では、サービスコンピュータDR2はもちろん、ホームネットワークHN内に配置することができる。）
　
ロ．「[0027] The text below explains how the billing tariff currently to be applied is ascertained in the billing system CS. If, for the purpose of service use, the mobile communication terminal KEG is used to access the service computer DR2 and a corresponding data transfer is to be implemented between the communication terminal and the service computer DR2, then the communication terminal KEG sends a request message relating to the data transfer to the visitor mobile radio network VN(arrow 1). This request message is sent to a switching center SGSN(Serving GPRS Support Node) in the visitor mobile radio network VN. The switching center SGSN then asks a central data store in the form of a home location register HLR for which data mobile radio network the communication terminal KEG has access rights(arrow 2). In the exemplary embodiment, this request is made via a further Internet IN2  using MAP messages. The home location register HLR stores information for each subscriber relating to their access rights in the form of a data record “GPRS Subscription Data”(in GPRS or UMTS mobile radio networks, the central data store used may also be a storage node HSS). The home location register HLR uses the MAP message “Insert Subscriber” to transfer a gateway address GA for a network gateway node GGSN in the data mobile radio network HN to the switching center SGSN(arrow 3). A data tunnel PDP(Packet Data Protocol) in the form of a “PDP context” is then set up to implement the data transfer between the communication terminal and the network gateway node GGSN in the data mobile radio network. While the data tunnel PDP is being set up, the mobile communication terminal sends a user name and/or a password to the network gateway node GGSN. This user name and/or password may be a user name and/or a password which is provided for the purpose of authenticating the data transfer.・・・（中略）・・・
[0028] When the data tunnel PDP is set up, an item of location information relating to the communication terminal is likewise transferred to the network gateway node GGSN in the form of a switching center address SA which clearly identifies the switching center SGSN. This switching center address SA represents an item of location information for the communication terminal KEG, because the mobile communication terminal KEG is currently situated in the local area of influence of this switching center SGSN; the switching center SGSN is therefore the switching center temporarily associated with the communication terminal in the visitor mobile radio network. Transfer of the item of location information SA and of the user name and/or of the password is symbolized by the arrows 5. In the exemplary embodiment, these data are transferred to the network gateway node GGSN via the further telecommunication network KN. The further telecommunication network KN in the exemplary embodiment is an “inter-PLMN backbone”, to which an inherently known address translator in the form of a “root domain name server”(root DNS) is connected. This domain name server undertakes address translation for the switching center address SA between its numerical and symbolic forms in a known manner. In the exemplary embodiment, the switching center address SA is in the form of an IP address. ・・・（中略）・・・」（３頁左欄〜右欄）
（[0027]　以下のテキストでは、現在適用される料金表が料金請求システムCSでどのように確認されるかを説明する。サービス利用のために、移動通信端末KEGはサービスコンピュータDR2にアクセスするために使用され、対応するデータ転送が通信端末とサービスコンピュータDR2間で実行される場合、通信端末KEGはデータ転送に関連する要求メッセージをビジター移動無線ネットワークVNへ送信する（矢印１）。この要求メッセージは、ビジター移動無線ネットワークVNのスイッチングセンターSGSN（サービングGPRSサポートノード）に送信される。そして、スイッチングセンターSGSNは、通信端末KEGがどのデータ移動無線ネットワークに対してアクセス権を有するかをホームロケーションレジスタHLRの形の中央のデータストアに問い合わせる（矢印２）。例示的な実施形態では、この要求はMAPメッセージを使用して、もう一つのインターネットIN2を介して行われる。ホームロケーションレジスタHLRはデータレコード「GPRS加入データ」の形で加入者のアクセス権に関連する各加入者の情報を格納する（GPRSまたはUMTS移動無線ネットワークでは、使用される中央のデータストアは、ストレージノードHSSとすることもできる）。ホームロケーションレジスタHLRはスイッチングセンターSGSNへデータ移動無線ネットワークHN内のネットワークゲートウェイノードGGSNのゲートウェイアドレスGAを転送するために、MAPメッセージ「Insert Subscriber」を使用する（矢印３）。そして、「PDPコンテキスト」の形式でデータトンネルPDP（パケットデータプロトコル）が、通信端末とデータ移動無線ネットワーク内のネットワークゲートウェイノードGGSNとの間のデータ転送を実行するために設定される。データトンネルPDPが設定されている間、移動通信端末は、ユーザー名および/またはパスワードをネットワークゲートウェイノードGGSNへ送信する。このユーザー名および/またはパスワードは、データ転送を認証するために設けられているユーザー名および/またはパスワードとなる。・・・（中略）・・・
[0028]　データトンネルPDPが設定されると、通信端末に関する位置情報の項目は、明確にスイッチングセンターSGSNを識別するスイッチングセンターアドレスSAの形で、同様にネットワークゲートウェイノードGGSNに転送される。移動通信端末KEGが現在このスイッチングセンターSGSNの影響するローカルエリアに位置しているので、この交換センターのアドレスSAは、通信端末KEGに対する位置情報の項目を表わす。スイッチングセンターSGSNは、故に、一時的にビジター移動無線ネットワーク内の通信端末に関連付けられたスイッチングセンターである。位置情報SAの項目とユーザ名および/またはパスワードの転送は、矢印５で表されている。例示的な実施形態では、これらのデータは、もう一つの通信ネットワークKNを介して、ネットワークゲートウェイノードGGSNに転送される。例示的な実施形態中のもう一つの通信ネットワークKNは、「ルートドメインネームサーバー」（ルートDNS）の形でこれまでに知られているアドレストランスレーターが接続されている「PLMN間バックボーン」である。このドメイン・ネーム・サーバーは、既知の方法で、アドレスの数値と記号の形の間のスイッチングセンターアドレスSAに対するアドレス変換を行う。例示的な実施形態では、スイッチングセンターのアドレスSAは、IPアドレスの形式である。・・・（中略）・・・）
　
ハ．「[0029] When the network gateway node GGSN has received the user name, the password and the item of location information, the network gateway node GGSN creates an authentication message which contains the user name, the password and the item of location information. This authentication message is transferred from the network gateway node GGSN to an authentication server AAA via a service computer gateway SSG. As an authentication message of this type, an “Access Request” message designed on the basis of the RADIUS protocol is used(arrow 7). The service computer gateway SSG is that network node in the data mobile radio network HN which can set up a connection to the service computer which provides the respective service(in the exemplary embodiment, to the service computer DR on the Internet). 
[0030] The service computer gateway SSG reads the item of location information SA from the authentication message 7 and buffer-stores it for the duration of the data transfer.(In one alternative embodiment, the item of location information SA is transferred to the authentication server AAA using the authentication message, is read from the authentication message by this authentication server AAA and is then transmitted from the authentication server AAA to the service computer gateway SSG. The item of location information SA is then buffer-stored by the service computer gateway SSG.) 
[0031] The service computer gateway SSG now monitors the data transfer between the communication terminal KEG and the service computer DR2; by way of example, the service computer gateway SSG ascertains the number and/or the data volume of the data packets IP2 which are interchanged between the communication terminal KEG and the service computer DR2. The service computer gateway SSG sends the information ascertained in this way to the billing system CS as monitoring information together with the stored item of location information SA. Such monitoring information may be transferred, by way of example, using billing messages “Accounting Start” and “Accounting Stop” designed on the basis of the RADIUS protocol(arrow 10). These messages are transferred from the service computer gateway SSG to the billing system CS at the start and at the end of the data transfer for which billing is to be performed. In this case, the data transfer between the service computer gateway SSG and the billing system CS takes place via the inherently known “RO interface” RO-IF; in this way, billing for the data transfers in the current “session”(data transfer) is prepared. The billing system CS now uses the item of location information SA to establish that the communication terminal KEG is situated in the visitor mobile radio network VN. To this end, the billing system compares the item of location information SA with stored items of location information associated with various visitor mobile radio networks. In the exemplary embodiment, the billing system CS stores that the switching center address SA is associated with the visitor mobile radio network VN. From this stored item of location information, the billing system CS identifies that the communication terminal KEG is situated in the sphere of influence of the visitor mobile radio network VN. Next, the billing system CS ascertains the billing tariff associated with the visitor mobile radio network VN and uses it for subsequently billing for the data transfer. This billing tariff may, by way of example, have higher billing charges than a billing tariff which would be applied if the communication terminal KEG were situated in the radio coverage area of the data mobile radio network HN or were connected directly thereto(i.e. if the communication terminal KEG is not “roaming”, but rather is situated in the sphere of influence of its home network, for example).」（３頁右欄〜４頁左欄）
（[0029]　ネットワークゲートウェイノードGGSNが、ユーザー名、パスワードおよび位置情報の項目を受け取ったとき、ネットワークゲートウェイノードGGSNは、ユーザー名、パスワードおよび位置情報の項目を含む認証メッセージを作成する。この認証メッセージは、ネットワークゲートウェイノードGGSNからサービスコンピュータゲートウェイSSGを介して、AAA認証サーバーに転送される。このタイプの認証メッセージとして、RADIUSプロトコルに基づいて設計された「アクセス要求」メッセージが使用される（矢印７）。サービスコンピュータゲートウェイSSGは、それぞれのサービスを提供するサービスコンピュータ（例示的な実施形態では、インターネット上のサービスコンピュータDR）への接続を設定することができるデータ移動無線ネットワークHNのネットワークノードである。
[0030]　サービスコンピュータゲートウェイSSGは認証メッセージ7から位置情報SAの項目を読み取り、データ転送の持続する間、それをバッファに格納する。（１つの代替の実施形態では、位置情報SAの項目は、認証メッセージを用いて認証サーバAAAに転送され、この認証サーバAAAによって認証メッセージから読み取られ、次にAAA認証サーバからサービスコンピュータゲートウェイSSGへ送信される。そして、位置情報SAの項目は、サービスコンピュータゲートウェイSSGによってバッファに格納される。）
[0031]　それから、サービスコンピュータゲートウェイSSGは、通信端末KEGとサービスコンピュータDR2との間のデータ転送を監視し、一例として、サービスコンピュータゲートウェイSSGは、通信端末KEGとサービスコンピュータDR2間で交換されるデータパケットのIP2の数および/またはデータ量を確認する。サービスコンピュータゲートウェイSSGは、このような方法で確認された情報を格納されている位置情報SAのアイテムとともに監視情報として料金請求システムCSに送信する。このような監視情報は、一例として、RADIUSプロトコルに基づいて設計された「会計開始」および「会計終了」の請求メッセージを使用して転送することができる（矢印１０）。これらのメッセージは、料金請求がなされるべきデータ転送の開始および終了時にSSGサービスコンピュータゲートウェイSSGから料金請求システムCSに転送される。この場合、サービスコンピュータゲートウェイSSGと料金請求システムCS間のデータ転送は、これまでに知られている「ROインターフェース」RO-IFを介して行われ、このようにして、現在の「セッション」（データ転送）のデータ転送に対する料金請求が準備される。料金請求システムCSはこのとき、通信端末KEGがビジター移動無線ネットワークVNに位置していることを確定するために位置情報SAの項目を使用する。このために、料金請求システムは、位置情報SAの項目を格納されている様々なビジター移動無線ネットワークに関連付けられた位置情報の項目と比較する。例示的な実施形態では、料金請求システムのCSは、スイッチングセンターアドレスSAが、ビジター移動無線ネットワークVNに関連付けられていることを格納する。この格納されている位置情報の項目から、料金請求システムCSは通信端末KEGがビジター移動無線ネットワークVNの影響圏に位置していることを識別する。次に、料金請求システムCSはビジター移動無線ネットワークVNに関連付けられている料金表を確認し、データ転送に対するその後の料金請求のためにそれを使用する。この料金表は、一例として、通信端末KEGがデータ移動無線ネットワークHNの無線カバレッジエリアに位置していた場合、または、直接そこに接続された場合（例えば、通信端末KEGは「ローミング」せずに、そのホームネットワークの影響圏に位置する場合）に適用される料金表よりも高い請求料金とすることができる。）
　
　上記引用例の記載及び図面を参照すると、上記イ．[0020]、同ロ．[0027]、[0028］及び図１の記載から、引用例には、「ビジター移動無線ネットワークVN」、「通信ネットワークKN」、「データ移動無線ネットワークHN」、「インターネットIN」、「インターネットIN2」からなるネットワークが記載されている。
　そして、上記ロ．［0027］、［0028］、同ハ．［0029］及び図１の記載から、引用例に記載されたネットワークは、［スイッチングセンターSGSN］、「ネットワークゲートウェイノードGGSN」、「サービスコンピュータゲートウェイSSG」及び「料金請求システムCS」を含むことが明らかである。
　上記イ．[0020]の「The data mobile radio network HN is, in general terms, a mobile radio network for which the communication terminal KEG has access rights・・・」、同[0023]の「・・・home mobile radio network HN・・・」、「the data mobile radio network HN as the home mobile radio network is subject to the control of a home network operator(“home operator”).」という記載から、「データ移動無線ネットワークHN」は通信端末KEGがアクセス権を有するホームネットワークであり、同ロ．[0027]の「・・・to transfer a gateway address GA for a network gateway node GGSN in the data mobile radio network HN to the switching center SGSN(arrow 3).」という記載及び図１から、「ネットワークゲートウェイノードGGSN」は、ホームネットワーク内のゲートウェイといえる。
　上記ロ．[0028]の「・・・in the form of a switching center address SA which clearly identifies the switching center SGSN. This switching center address SA represents・・・」、「・・・the switching center address SA is in the form of an IP address.」等の記載から、引用例に記載された「スイッチングセンターSGSN」が「アドレスSA」を有することは明らかである。
　上記ハ．［0031］の「The billing system CS now uses the item of location information SA to establish that the communication terminal KEG is situated in the visitor mobile radio network VN. 」という記載から、「料金請求センターCS」は「スイッチングセンターSGSN」の「アドレスSA」を使用して、通信端末KEGが「ビジター移動無線ネットワークVN」に位置することを確定し、同［0031］の「・・・the billing system CS ascertains the billing tariff associated with the visitor mobile radio network VN and uses it for subsequently billing for the data transfer.」との記載から、「料金請求センターCS」は「ビジター移動無線ネットワークVN」に関連する料金表を確認して、通信端末KEGのデータ転送に対する料金請求を行うことが明らかであるから、「料金請求センターCS」はデータ転送に対する料金請求を行うために「スイッチングセンターSGSN」の「アドレスSA」を必要とするものといえる。
　上記ハ．［0029］の「When the network gateway node GGSN has received ・・・ the item of location information, the network gateway node GGSN creates an authentication message which contains ・・・ the item of location information.」という記載から、「ネットワークゲートウェイノードGGSN」は位置情報を受信し、位置情報を含む「認証メッセージ」を作成することが明らかであり、同ロ．［0028］の「・・・an item of location information relating to the communication terminal is likewise transferred to the network gateway node GGSN in the form of a switching center address SA which clearly identifies the switching center SGSN.」という記載から、「ネットワークゲートウェイノードGGSN」が受信する位置情報は「スイッチングセンターSGSN」の「アドレスSA」であることが明らかであるから、「ネットワークゲートウェイノードGGSN」は作成する「認証メッセージ」に「アドレスSA」を挿入しているといえる。
　そして、上記ハ．[0029]の「This authentication message is transferred from the network gateway node GGSN to an authentication server AAA via a service computer gateway SSG.」という記載から、「ネットワークゲートウェイノードGGSN」は「認証メッセージ」を「サービスコンピュータゲートウェイSSG」に送信することは明らかである。
　さらに、上記ハ．[0030]の「The service computer gateway SSG reads the item of location information SA from the authentication message 7 and buffer-stores it for the duration of the data transfer.」という記載から、「サービスコンピュータゲートウェイSSG」は「認証メッセージ」から「アドレスSA」を取り出しているといえ、取り出した「アドレスSA」をバッファに格納していることが明らかである。
　また、上記ハ．[0031]の「The service computer gateway SSG sends the information ascertained in this way to the billing system CS as monitoring information together with the stored item of location information SA.」という記載から、「サービスコンピュータゲートウェイSSG」は格納した「アドレスSA」を「料金請求システムCS」に送信するといえる。
　したがって、上記引用例には、以下の発明（以下、「引用発明」という。）が記載されている。 
「アドレスSAを有するスイッチングセンターSGSNと、
　前記スイッチングセンターの前記アドレスSAを必要としている料金請求システムCSと、
　前記スイッチングセンターSGSNの前記アドレスSAを認証メッセージに挿入するネットワークゲートウェイノードGGSNと、
　サービスコンピュータゲートウェイSSGと、を含み、」
　前記ネットワークゲートウェイノードGGSNは、前記サービスコンピュータゲートウェイSSGに前記認証メッセージを送信し、前記サービスコンピュータゲートウェイSSGは、前記アドレスSAを取り出して、前記アドレスSAを前記料金請求システムCSに送信する、ネットワーク。」
　
３．対比 
　本願発明と引用発明を比較すると、引用発明の［スイッチングセンターSGSN］、「料金請求システムCS」、「ネットワークゲートウェイノードGGSN」、「サービスコンピュータゲートウェイSSG」のそれぞれがネットワークの要素となることは明らかであり、それぞれの要素を「第一」、「第二」、「第三」、「第四」と称することは任意であるから、引用発明の［スイッチングセンターSGSN］、「料金請求システムCS」、「ネットワークゲートウェイノードGGSN」、「サービスコンピュータゲートウェイSSG」は、本願発明の「第一のネットワーク要素」、「第二のネットワーク要素」、「第三のネットワーク要素」、「第四のネットワーク要素」にそれぞれ相当する。
　そして、引用発明の「認証メッセージ」はメッセージの一種であるから、本願発明の「メッセージ」に相当し、引用発明の「アドレスSA」は、本願発明の「アドレス」に相当する。
　また、引用発明の「挿入する」、「送信し」及び「送信する」と本願発明の「挿入するように構成された」、「送信するように構成された」及び「送信するように構成される」は、構成において実質的な差異はない。
　したがって、本願発明と引用発明は、以下の点で一致ないし相違する。
　
＜一致点＞ 
「アドレスを有する第一のネットワーク要素と、
　前記第一のネットワーク要素の前記アドレスを必要としている第二のネットワーク要素と、
　前記第一のネットワーク要素の前記アドレスをメッセージに挿入するように構成された第三のネットワーク要素と、
　第四のネットワーク要素と、を含み、
　前記第三のネットワーク要素は、前記第四のネットワーク要素に前記メッセージを送信するように構成され、前記第四のネットワーク要素は、前記アドレスを取り出して、前記アドレスを前記第二のネットワーク要素に送信するように構成される、ネットワーク。」　
　
＜相違点＞ 
　本願発明は「更に、前記第一のネットワーク要素が、リソースおよびアドミッション制御機能、サービスポリシー判断機能、エッジルーター、およびボーダーゲートウェイ機能のうちの少なくとも１つを含むこと；
　前記第二のネットワーク要素が、リソースおよびアドミッション制御機能、サービスポリシー判断機能、エッジルーター、およびボーダーゲートウェイ機能のうちの少なくとも１つを含むこと；
　前記第三のネットワーク要素が、アプリケーション機能、アクセスノード、ホームゲートウェイ、およびリソースおよびアドミッション制御機能によって制御されるアクセスネットワーク要素のうちの少なくとも１つを含むこと；
の１つ以上を特徴とする」のに対し、引用発明は当該構成を有するのか否か不明である点。
　
４．検討 
　上記相違点について検討する。
　前記「２．引用発明」に記載したように、「２．引用発明」のイ．[0020]の「The data mobile radio network HN is, in general terms, a mobile radio network for which the communication terminal KEG has access rights・・・」、同[0023]の「・・・home mobile radio network HN・・・」、「the data mobile radio network HN as the home mobile radio network is subject to the control of a home network operator(“home operator”).」という記載から、「データ移動無線ネットワークHN」は通信端末KEGがアクセス権を有するホームネットワークであり、同ロ．[0027]の「・・・to transfer a gateway address GA for a network gateway node GGSN in the data mobile radio network HN to the switching center SGSN(arrow 3).」という記載及び図１から、引用発明の「ネットワークゲートウェイノードGGSN（「第三のネットワーク要素）」は、ホームネットワーク内のゲートウェイといえることは明らかであり、ホームゲートウェイとすることは適宜なし得ることである。
　すると、引用発明の「ネットワークゲートウェイノードGGSN（「第三のネットワーク要素）」は、本願発明の「第三のネットワーク要素が、ホームゲートウェイを含む」ということと格別な差異はなく、引用発明は、本願発明の択一的な構成である「前記第三のネットワーク要素が、アプリケーション機能、アクセスノード、ホームゲートウェイ、およびリソースおよびアドミッション制御機能によって制御されるアクセスネットワーク要素のうちの少なくとも１つを含むこと；」という点において、格別な差異を有するものではない。
　そして、引用発明は、当該「前記第三のネットワーク要素が、アプリケーション機能、アクセスノード、ホームゲートウェイ、およびリソースおよびアドミッション制御機能によって制御されるアクセスネットワーク要素のうちの少なくとも１つを含むこと；」の１つの特徴を有することになるので、本願発明の「前記第一のネットワーク要素が、リソースおよびアドミッション制御機能、サービスポリシー判断機能、エッジルーター、およびボーダーゲートウェイ機能のうちの少なくとも１つを含むこと；
　前記第二のネットワーク要素が、リソースおよびアドミッション制御機能、サービスポリシー判断機能、エッジルーター、およびボーダーゲートウェイ機能のうちの少なくとも１つを含むこと；
　前記第三のネットワーク要素が、アプリケーション機能、アクセスノード、ホームゲートウェイ、およびリソースおよびアドミッション制御機能によって制御されるアクセスネットワーク要素のうちの少なくとも１つを含むこと；
の１つ以上を特徴とする」という点においても、格別な差異を有するものではない。
　そして、本願発明の作用効果も引用発明から当業者が予測できる範囲のものである。 
　
５．むすび 
　以上のとおり、本願発明は、上記引用例に記載された発明に基づいて、当業者が容易に発明をすることができたものと認められるから、特許法第２９条第２項の規定により特許を受けることができない。 
　
　よって、結論のとおり審決する。